Podtech/llm-jp-corpus-v4-ja_patent huggingface dataset:
(57)【要約】      （修正有）【課題】掃除用ペーパーモップの本体に取り付ける事により効率よくチリやゴミを収集出来る様になる床拭きワイパーの付属品を提供する。【解決手段】本体２の取り換え用ペーパー３が被っている所の上からヘアーピン形状のピン４を差し込みセッティングし本体先端部を床面から１〜２ｍｍ上げることにより、ゴミやチリが本体中央部分まで誘導され効率よく収集出来る。【選択図】図１
0003184373.tif 000002
【実用新案登録請求の範囲】
【請求項１】
本案件は掃除用具本体に本案件付属品を付ける事によってゴミ収集能力を上げる事の出来る床拭きワイパーの付属品。
【考案の詳細な説明】
【技術分野】
【０００１】本考案はフローリングを掃除する時のペーパーモップの先端を少し上げごみ収納力を格段に上げる付属品です。
【背景技術】
【０００２】クイックルワイパーの様なモップは通常モップ先端でしかごみを収集出来なかったが本考案は中央、後部、裏面全体でチリ、ゴミを収集出来ます。
【先行技術文献】
【特許文献】
【０００３】
【特許文献１】特開平９−２５３０１７
【特許文献２】
【非特許文献】
【０００４】
0003184373.tif 000003
【非特許文献１】
【非特許文献２】
【非献１】
特許文）
【考案の概要】
【考案が解決しようとする課題】
【０００５】本考案は通常本体部分の取り換え用ペーパー部分は上下一部分しかゴミが付着せず効率が悪かった。細かい砂、髪の毛等絡みにくい構造になっており本校案はそれを解決する物である。
【課題を解決するための手段】
【０００６】本考案は本体部分の両サイドにヘアーピン状のピンを差し込み、前を１〜２ｍｍ浮かせる事により砂、髪の毛等を本体中央部に誘導しそれらをからみつける事によってゴミを収集する。
【考案の効果】
【０００７】上述の様に本体部分進行方向上部を１〜２ｍｍ上げる事により中央部へのゴミの誘導になり効率よくゴミが収集出来る。
【図面の簡単な説明】
【０００８】
【図１】本体部分へ本校案を取り付けた状態。
【図２】本体部分から外した本考案部分。
【考案を実施するための形態】
【０００９】本体部分の両サイドの端に２本の本考案を差し込んで使用する。
【実施例】
【００１０】本体部分の両端に本考案を差し込み前方に押して行きゴミを収集する。
【符号の説明】
【００１１】▲１▼  本体取って部分
▲２▼  本体
▲３▼  本体取り換え用ペーパー
▲４▼  本考案
▲５▼  本考案
【図１】
0003184373.tif 000004
【図２】
0003184373.tif 000005
【手続補正書】
【提出日】平成25年3月29日(2013.3.29)
【手続補正１】
【補正対象書類名】実用新案登録請求の範囲
【補正対象項目名】全文
【補正方法】変更
【補正の内容】
【実用新案登録請求の範囲】
【請求項１】
床拭きワイパー本体部分の両サイドに用いられる床拭きワイパーの付属品において、前記付属品は、ヘアーピン状のピンであり、前記本体部分に嵌合する凹部と、前記本体部分の床面側に、前記本体部分の進行方向上部を１〜２ｍｍ浮かせるような厚みを有する部分とを備えたことを特徴とする床拭きワイパーの付属品。
【手続補正２】
【補正対象書類名】明細書
【補正対象項目名】０００２
【補正方法】変更
【補正の内容】
【０００２】クイックルワイパー（登録商標）の様なモップは先端で鹿ゴミを収集出来なかったが本考案は中央、後部、裏面全体でチリ、ゴミを収集出来ます。
(57)【要約】【課題】天然石等を埃等の堆積を避けて内部に収容したまま、月光等での浄化を実現し、人目に触れず願いを込める（願掛け）行為を実現する器具を提供する。【解決手段】本考案の天然石収容浄化器具は、収容部１２に天然石または天然石を使用した装身具等を収容し、窓１１より外光を取り入れて月光等による浄化をし、お札収容部１３の収容物が人目に触れることなく願いを込める（願掛け）行為をし、これら全てを同時または組み合わせて行うことを実現するものである。【選択図】図１
0003184371.tif 000002
【実用新案登録請求の範囲】
【請求項１】
天然石または天然石を使用した装身具を収容したまま、器具を開放することなく内部に月光等の外光を取り入れて浄化したり、さざれ石浄化をすることができることを特徴とする天然石収容浄化のための器具。
【請求項２】
浄化や願いを込める（願掛け）時に、願い事を書いた紙片またはお札などを収容する収容部。
【請求項３】
請求項２の収容部は、引き出し式、二重底式、蓋式などにより、外部から容易に収容物を識別できない構造であること。
【考案の詳細な説明】
【技術分野】
【０００１】
本考案は、天然石や天然石を使用した装身具を収容する器具に関する。
【背景技術】
【０００２】
天然石または天然石を使用した装身具（ブレスレット、ネックレス等）を保管する際は、宝石箱に収容するか皿等に載せるなどしている。また月光浄化や日光浄化を行う際は、光が十分に当たるように器や配置を考慮する必要がある。そして願いを込める（願掛け）行為に関しては考慮されていない。
【考案の概要】
【考案が解決しようとする課題】
【０００３】
しかし皿等に載せての保管や浄化は、開放空間であることにより埃の堆積を避けることができない。
また宝石箱などに収容して保管する場合は、閉鎖空間であるため月光浄化や日光浄化を行う際には、十分に光が当たるように宝石箱などから取り出すなどしなくてはならない。
そして願いを込める（願掛け）行為を行うタイミングは、前記保管や浄化とは別のタイミングであることが一般的である。
つまり保管、浄化、願いを込める（願掛け）行為は、別々に行われており、その分時間と手間がかかるという問題点があった。
【０００４】
ところで、天然石には不思議な力があると言われ、その力が強い石はパワーストーンと呼ばれ、古来より儀式の道具や魔除けなどとしても使われている。最近ではスポーツ選手が水晶等を使った装身具を身につけて試合に臨むなど、その効果を信奉する人は多く、一般的にも天然石への関心が高まってきている。とりわけ水晶は、クォーツ時計に利用されるように安定した電気的振動を発することが知られており、産業上も多方面で利用されているので、身近な天然石として一般に認識されている。
【０００５】
また天然石をパワーストーンとして用い、その不思議な力を期待する場合、定期的な浄化を行うことが必要と言われる。しかしそれを知らずに所持している者は多い。さらに願いを石に込める(願掛け)行為や、その行為を他人に見られないほうが良いことは、ほとんど認識されていない。
つまり天然石をパワーストーンとして効果的に扱っている者は少ない。
【０００６】
そこで本考案は、上記天然石やパワーストーンを埃等を避けて保管し、浄化し、人目に触れず願いを込める（願掛け）行為を、同時に全てまたは個別に実現することを目的とする。
【課題を解決するための手段】
【０００７】
本考案の上記の課題は、本考案の下記構成（１）〜（６）により達成される。
（１）天然石やパワーストーンを、埃等を避けながら保管（収容）できる器具である。
（２）前記天然石等の月光浄化、日光浄化を行う際に、収容物を器具外に出さずとも窓より内部へ受光できる上記（１）の器具。
（３）前記天然石等のさざれ石浄化を行う際に、さざれ石を器具内へ盛り付け収容することができる、収容部の構造を持つ上記（１）の器具。
（４）前記天然石等に願いを込める（願掛け）行為のために、願いを書いた紙片やお札等を収容できる、お札等収容部を持つ上記（１）の器具。
（５）上記（４）のお札等収容部は、器具外から一見して収容物を識別できない構造を持つ上記（１）の器具。
【考案の効果】
【０００８】
本考案の構造によれば、収容部へさざれ石や浄化の対象物を配し、お札等収容部に願い事を書いた紙片やお札を配し、上部窓より月光などを取り入れることにより、埃等を避けながら対象物の光浄化、さざれ石浄化、かつ人目に触れないように願掛けを、同時に行うことを実現するものである。
【０００９】
本考案の天然石収容浄化器具によれば、装飾品としての天然石やパワーストーンに対し、保管している間にそれら石が持つとされるパワーを浄化により再充填したり、お守りとしての効用や、願い事の念をも充填することが期待でき、器具の使用者に対してより多くの期待感、満足感、活力を与えることが可能となる。
【図面の簡単な説明】
【００１０】
【図１】本考案の天然石収容浄化器具は、上部から外光を取り入れる窓１１と、浄化の対象物を収容する収容部１２と、お札等収容部１３を備えている。
【考案を実施するための形態】
【００１１】
以下、添付図面を参照しつつ、本考案の実施形態による天然石保管浄化器具について説明する。
（ａ）は、内箱２が収容部１２として機能し、下部３の内部へ納めることが出来るタイプの例である。桟１４は下部３内で内箱２を浮かせ二重底状態として下部３内にお札等収容部１３を実現するものである。（ｂ）は、収容部１２が下部３と一体となり、下部３内の引出し４がお札等収容部１３として構成される例である。(a)(b)いずれの例も、浄化のための外光は上部１にある窓１１より内部へ進入し収容部１２へ至る。
【実施例】
【００１２】
窓１１は埃等の進入を防止する観点からガラス、アクリルなどの透明素材で構成されることが望ましい。お札等収容部１３は本考案器具を外部から一見して、その内容物が確認できないこと。本図面の例では本考案器具は直方体で示しているが、円筒、多角錐などの形状であっても構わない。
【図１】
0003184371.tif 000003
【手続補正書】
【提出日】平成25年4月12日(2013.4.12)
【手続補正１】
【補正対象書類名】実用新案登録請求の範囲
【補正対象項目名】全文
【補正方法】変更
【補正の内容】
【実用新案登録請求の範囲】
【請求項１】
器具内に埃の進入を防ぐ蓋などの形状による上部と、器具内へ外光を取り入れる窓と、天然石または天然石を使用した装身具を収容する収容部と、願い事を書いた紙片またはお札などを収容するお札収容部とを持ち、器具を開放することなく収容物に対し取り入れた外光による浄化ができることを特徴とする天然石収容浄化のための器具。
【請求項２】
前記上部または窓は、器具を開放せず外光を取り入れられるよう、ガラス、アクリルなどの透明素材であることを特徴とする、請求項1の天然石収容浄化のための器具。
【請求項３】
前記お札収容部は、引き出し式、二重底式、蓋式などにより、外部から容易に収容物を識別できないことを特徴とする、請求項1の天然石収容浄化のための器具。
(57)【要約】      （修正有）【課題】より正確な方向合わせと、集中したインパクトができるように、ゴルフボールに引く縦線をパターフェースの近くに書けるゴルフボールライン引具とゴルフマークを提供する。【解決手段】ライン引具は、合成樹脂材料で形成された半球状の殻体に、方向を合わせる際に必要なラインをゴルフボールに引けるように縦溝ａと横溝ｂを形成したものである。またこのライン引具でラインを引いたゴルフボールとセットで使うゴルフマークは、合成樹脂材料で形成された丸（月）状のもので、裏に突起をもったものである。【選択図】図１
0003184380.tif 000002
【実用新案登録請求の範囲】
【請求項１】
図１に示す様に上から見ると縦溝aが直線に見える溝と、横溝bからなり、パターフェース面に近接するゴルフボールの縦線aを引くことが出来るゴルフボールライン引き具。
【請求項２】
ゴルフボールをリプレースする際に、縦線図１aが直線に見える位置を容易に検出することが出来る横線図１bにラインを引けない中心を示すポイント図１cを持つ、ゴルフボールライン引き具。
【請求項３】
請求項１で示すライン引き具を使用して引かれたラインを持つゴルフボールとセットで使用することにより、図２dの縦線と図２eの横線を利用し、縦横どちらでも合わせられるラインを持つゴルフマーク。
【請求項４】
請求項１で示すライン引き具で使用して引かれたラインを持つゴルフボールと前記請求項３のゴルフマークの縦横の２種類の線が重なるように見える様に、ゴルフボールのカーブに合わせた図２ｇに示す扇型に欠けた部分を持つゴルフマーク。
【請求項５】
待機中に方向を合わせるために動かしていても前後左右に移動することなく、ボールをセットしてからも、マークを取り外す際にボールに接触しないように、後方に位置する突起ｆを裏面に持つゴルフマーク。
【考案の詳細な説明】
【技術分野】
【０００１】
本考案は、ゴルフボールにラインを引く為の補助具及び、セットで使うと簡単にボールを正しくセットできるゴルフマークである。
【背景技術】
【０００２】
現在のボールライン引き具で作成されたゴルフボールを使用した場合には、リプレース時に方向を合わせる時間が必要になるので、プレーの進行が遅れる要因の１つになっていた。
【先行技術文献】
【特許文献】
【０００３】
【特許文献１】特開  ２０１０−２２８２０号
【０００４】
【特許文献２】特開  ２００６−６７５８号
【考案の概要】
【考案が解決しようとする課題】
【０００５】
従来のライン引き具でラインを引いたものは縦線がボールの真ん中にあり、パターのフェース面から遠く、パターのフェースの向きを合わるのが困難だった。
【０００６】
現状のライン引き具でラインを引いたゴルフボールを使用してのパッティング時、自分の順番になってからゴルフボールにマーキングされているラインをカップの方向に合わせてゴルフボールをリプレースするのに時間がかかっていた。
【課題を解決するための手段】
【０００７】
パターフェースをゴルフボールに引かれた縦線と並行に合わせることを容易にする為に、縦線をフェースの近くに書ける様なゴルフボールライン引き具を考案した。
【０００８】
このセットを使うことで、打つ前までにラインが引かれたマークで方向をセットすることが出来、自分の順番になったら、縦でも横でも、後ろからでも、アドレス方向からでも瞬時にボールを正しい方向に置くことが出来る。
【考案の効果】
【０００９】
プレーにかかる時間が短縮する（プレーの進行をはやくする）効果がある。
【００１０】
パターのフェースをターゲットに直角に合わせられる。
【００１１】
パッティングのインパクトに集中出来る効果がある。
【図面の簡単な説明】
【００１２】
【図１】ゴルフボールライン引き具の平面図（A）、立体図（B）である。
【図２】ゴルフボールマークの平面図（A）、底面図（B）、断面図（C）である。
【考案を実施するための形態】
【００１３】
図１のライン引き具をゴルフボールに被せ、マジックでボールにラインを引く。
パッティングの待機中に図２のボールマークで図２（C）のfを支点にして方向を合わせておく。
【実施例】
【００１４】
ボールマーク、ボールライン引きともにプラスチック素材のもので作成。図１b、図２eはカップに向かう線。図１a、図２dはパターのフェースを並行に合わすもの。図２のマークに図１でラインが書かれたボールをプレースすれば縦（図１aと図２d）、横（図１bと図２e）どちらを基準にしても簡単に正しく、素早くボールをセットすることが出来る。この時、図１c部分を上に置けば、より簡単に合わせられる。ストローク中は図１aがインパクトの時に右端にあるため集中力を生む。
【符号の説明】
【００１５】
a  ライン引き具の縦線
b  ライン引き具の横線
c  ライン引き具の線が描かれない部分
d  マークの縦線
e  マークの横線
f  マークの突起
g  マークの扇状に欠けている部分
【図１】
0003184380.tif 000003
【図２】
0003184380.tif 000004
【手続補正書】
【提出日】平成25年3月27日(2013.3.27)
【手続補正１】
【補正対象書類名】実用新案登録請求の範囲
【補正対象項目名】全文
【補正方法】変更
【補正の内容】
【実用新案登録請求の範囲】
【請求項１】
ゴルフボールに被せられる半球体の形状であり、カーブしている縦溝がゴルフボールにラインを引いた際、直線に見える溝と、その縦溝によって書かれた線と直角になる横溝からなり、パターフェース面に接近するゴルフボールの縦線を引くことが出来るゴルフボールライン引き具。
【請求項２】
ゴルフボールを置く際、中心を導き出すために、前記横溝の中心にラインを引けない部分がある、請求項１に記載のゴルフボールライン引き具。
【請求項３】
請求項１で示すライン引き具を使用して引かれたラインを持つゴルフボールとセットで使用することにより、ゴルフマーク上に書かれた縦線と横線を利用し、縦横どちらでも合わせられるラインを持つゴルフマーク。
【請求項４】
請求項１で示すライン引き具で使用して引かれたラインを持つゴルフボールと請求項３のゴルフマークの縦横２種類の線が重なるように見える様に、ゴルフボールのカーブに合わせた扇型に欠けた部分を持つゴルフマーク。
【請求項５】
待機中に方向を合わせるために動かしていても前後左右に移動することなく、ボールをセットしてからも、マークを取り出す際にボールに接触しないように、後方に位置する突起を裏面に持つ請求項３または請求項４に記載のゴルフマーク。
(57)【要約】      （修正有）【課題】効率よく草の根を切り取って除草できる固体間のスキ間用除草器を提供する。【解決手段】把手１の付いた、アーム２の先端部分に横断面が菱形をした台座４を設け、菱形の台座の先端から、把手部の方へ必要量の所まで菱形の台座の横断面の巾広の方に当る鋭角部分に刃３を設ける。雑草の根にその刃を当て、把手のついたアームごと押して根を切り引いて根を切り又、前後左右、上下等にその刃を把手のついたアームごと動作をして雑草の根を切り除草する。【選択図】図１
0003184357.tif 000002
【実用新案登録請求の範囲】
【請求項１】
把手の付いた、アームの先端部分にコンクリートとブロック間等固体間の狭いスキ間に生えた草の根を切りやすく出来る様菱形をした台座を設け、菱形の台座の先端から把手部の方へ必要量の所まで菱形の台座の横断面の巾広の方に当る鋭角部分に、刃を設け、雑草の根にその刃を当て、把手の付いたアームごと押して根を切り、引いて根を切り又、前後、上下等にその刃を把手の付いたアームごと動作をして雑草の根を切り除草することを、有することを特微とする固体間のスキ間用除草器。
【請求項２】
台座は、菱形とは、限らない請求項１記載の固体間のスキ間用除草器。
【請求項３】
把手の上部先端から、台座に付いている刃の下部先端までの長さは、５ｃｍから３００ｃｍ位とする請求項１記載の固体間のスキ間用除草器。
【請求項４】
刃の形は、ノコギリ状とは限らない請求項１記載の固体間のスキ間用除草器
【考案の詳細な説明】
【技術分野】
【０００１】  従来の除草方法は、除草剤を散布するか、手でもぎ取っている。除草剤は、効力はあるが固体間のスキ間の草は、除草剤を撒く程多く生えていないため不経済であり、又手でもぎ取ってもすぐにそのもぎ取った草の根から草がのびてくる。
【背景技術】
【０００２】  そこで効率良く草の根を切り取って除草できる固体間のスキ間用除草器を提供するものである。
【先行技術文献】
【特許文献】
【考案の概要】
【考案が解決しようとする課題】
【０００３】  固体間のスキ間の草は、もぎ取っても根を取り除かないと、根が巨大化してますます除草しづらい。又カマ等で除草しようとすると、草刈には理想的なソリ具合も、固体間のスキ間の除草には、不便になる等理想的な固体間のスキ間用除草器がないのが現状である。
【課題を解決するための手段】
【０００４】  把手の付いたアームの先端部分にブロックとコンクリート等間の狭い隙間に生えている草の根を切り取りやすくするため横断面図図３の様に薄い菱形の台座を設け菱形の台座の横断面の巾広に当る鋭角部分に菱形の台座の先端から把手の方へ必要量草の根を切り取る刃を設ける。
【考案の効果】
【０００５】  そこで本考案の固体間のスキ間用除草器の刃を草の根に当て根を切り取り草を上に持ち上げて完全に除草出来るものである。
【考案を実施するための形態】
【０００６】  把手の付いたアームの先端部分を図３で示すように、菱形の台座を設け、図３の前後の鋭角部に草の根を切り取るための刃を台座の先端から把手の方へ向って必要量設ける。
【０００７】  台座に設ける刃は図３の前後の鋭角部のどちらか一方だけでも良い。
【０００８】  台座の最下部は、除草する草の根の下部にスムースに除草器が入りやすくするため先端が尖った形態でも良い
【図面の簡単な説明】
【図１】  全体像の一例である。把手を上にして除草器を、立てた状態で右横から見た図である。
【図２】  把手を上にして除草器を立てた状態で正面から見た図である。
【図３】  図２の台座を横断面にして、下部の台座の断面部を、上から見た図である。
【符号の説明】  １．把手
２．アーム
３．刃
４．台座
【図１】
0003184357.tif 000003
【図２】
0003184357.tif 000004
【図３】
0003184357.tif 000005
【手続補正書】
【提出日】平成24年12月25日(2012.12.25)
【手続補正１】
【補正対象書類名】実用新案登録請求の範囲
【補正対象項目名】全文
【補正方法】変更
【補正の内容】
【実用新案登録請求の範囲】
【請求項１】
把手の付いた、アームの先端部分にコンクリートとブロック間等固体間の狭いスキ間に生えた草の根を切りやすく出来る様菱形をした台座を設け、菱形の台座の先端から、把手部の方へ必要量の所まで菱形の台座の横断面の巾広の方に当る鋭角部分に刃を設け、雑草の根にその刃を当て、把手のついたアームごと押して根を切り引いて根を切り又、前後左右、上下等にその刃を把手のついたアームごと動作をして雑草の根を切り除草することを有することを特徴とする固体間のスキ間用除草器。
【請求項２】
請求項１で台座の形は、一例として菱形の表示をしたが別例で丸金棒を立てた状態で左右から押しつぶした状態の前後の丸るくなっている狭い部分に刃を取り付けた形状でも良い請求項１記載の固体間のスキ間用除草器。
【請求項３】
把手の上部先端から、台座に付いている刃の下部先端までの長さは、５ｃｍから３００ｃｍ位いとする請求項１記載の固体間のスキ間用除草器。
【手続補正書】
【提出日】平成25年3月27日(2013.3.27)
【手続補正１】
【補正対象書類名】実用新案登録請求の範囲
【補正対象項目名】全文
【補正方法】変更
【補正の内容】
【実用新案登録請求の範囲】
【請求項１】
把手の付いたアームの先端部分にコンクリートとブロック間等固体間の狭いスキ間に生えた草の根を切りやすく出来る様菱形をした台座を設け、菱形の台座の先端から把手部の方へ必要量菱形の台座の横断面の巾広の先の鋭角部分に刃を設け、雑草の根にこの刃を当て、把手の付いたアームごと、押して根を切り引いて根を切り又前後に動かして、雑草の根を切り除草することを特徴とする固体間のスキ間用除草器
(57)【要約】      （修正有）【課題】コーナーの曲がり角が多種多用に有る浴槽を簡単に、かつ綺麗に清掃出来る円柱型バスクリーナーを提供する。【解決手段】本体１上部のステッキ２の台座３が取り付けられている部分は円柱の側面形状で本体の他の部分は全て丸味を帯びた円柱状であり、浴槽の平面部を清掃する場合は本体両端の丸味の終り部分間にある直線状の部分をスライドさせて清掃し、浴槽のコーナー部の清掃は、本体両端の丸るくなっている部分をコーナーの角度に合う様、ステッキを、押しぎみにしたり引きぎみにして清掃する。【選択図】図１
0003184360.tif 000002
【実用新案登録請求の範囲】
【請求項１】
クリーナー本体は、両端が丸味を帯びた円柱状であることを形成することを特徴とする円柱状バスクリーナー
【請求項２】
クリーナー本体に取り付けるステッキは、ステッキの角度及び長短が調整出来る構造とは限らない請求項１記載の円柱型バスクリーナー
【考案の詳細な説明】
【技術分野】
【０００１】本考案は、風呂の清掃がらくに早く出来る円柱型バスクリーナーを提供するものである。
【背景技術】
【０００２】すでに市販されている清掃具も多種多用に有るがそれなりに立派に役立っている。
【先行技術文献】
【特許文献】
【考案の概要】
【考案が解決しようとする課題】
【０００３】しかし乍ら浴槽には、各種類が有りコーナーの曲り角が多種多用で有り、市販の清掃具では、コーナーの清掃がうまく出来ない物が多い。
【考案を解決するための手段】
【０００４】そこで本考案は、以上の課題を解決すべく、浴槽との接地部を丸味を帯びた円柱型バスクリーナーを提供する。
【０００５】本考案は、ステッキと清掃部本体の連結部以外は全て浴槽との接地部及び、両端は、丸味を帯びている円柱型で出来た本体であることを、特徴とする。
【０００６】本考案の円柱型バスクリーナーの浴槽との接地する本体部分は、全て丸くなっており、浴槽のコーナーにも合地しやすくコーナー角にも本体の両端の丸味を合わせ、又浴槽の平いらな部分は、本考案の本体の両端の丸味の終り部分間は一直線となり、その一直線部が浴槽の平いらな部分をスキッキに依ってスライドすることに依って清掃するものである。
【０００７】本体の構造は、一つの例として記す。
本体の両端を丸味を持った円柱状の形をした骨組みを、プラスチック等で作りその本体と一体に清掃部分を圧着、もしくは、本体を包み込みヒモでしばりつける取替え用清掃部分で作る本体構造
【０００８】本体の中央部当りに取り付けるステッキは、本体の角度及び長短が調整出来るもの、もしくは固定式でも良い
【考案の効果】
【０００９】本考案の円柱型バスクリーナーは、クリーナー本体の両端が丸味を帯びており、その丸い部分が浴槽のコーナー角に合地して清掃しやすく、又、クリーナーの両端の丸味が切れた両端間は、一直線となっておりその一直線の一部分だけが浴槽の平いらな部分と接地することに依り軽るく早く清掃出来る。
【考案を実施するための形態】
【００１０】本考案の円柱型バスクリーナーは、浴槽との接地する本体部分と手で持って作業するステッキからなり、本体部分は両端が丸味を帯びた円柱状であり、本体の中央部分にステッキを取り付けた形態である。
【００１１】クリーナー本体の中央部に取り付けるステッキは、ステッキの角度及び、長短の調整が出来る構造、もしくは、固定式とする形態。
【図面の簡単な説明】
【図１】横から見た全体図である
【図２】片端から見た図である
【図３】コーナー及びコーナー角の使用状態を示した破断図である。
【符号の説明】１  本体
２  ステッキ
３  ステッキ用台座
４  ステッキ取り付け用ブラケット
５  ステッキ取り付け用ピン
６  手持部
７  浴槽の側面
８  浴槽のコーナー
【図１】
0003184360.tif 000003
【図２】
0003184360.tif 000004
【図３】
0003184360.tif 000005
【手続補正書】
【提出日】平成25年3月27日(2013.3.27)
【手続補正１】
【補正対象書類名】実用新案登録請求の範囲
【補正対象項目名】全文
【補正方法】変更
【補正の内容】
【実用新案登録請求の範囲】
【請求項１】
クリーナー本体は、両端が丸味を帯びた円柱形であることを形成することを特徴とする円柱形バスクリーナー
(57)【要約】      （修正有）【課題】ボタンの誤操作を防ぐＩＣレコーダーのカバーを提供する。【解決手段】厚さ約１ミリ程度の、紙やプラスチックや合成樹脂等を材料にして、箱型を作り、それをＩＣレコーダーに装着する。【選択図】図１
0003184359.tif 000002
【実用新案登録請求の範囲】
【請求項１】
箱型カバーを付ける事。
【考案の詳細な説明】
【技術分野】
【０００１】カバーを設置することによつてボタンの誤操作を防ぐ。
【背景技術】
【０００２】紙やプラスチックや合成樹脂等を材料にして、箱型を作りその中のボタンに触れる事を予防する事です。
【考案の概要】
【考案が解決しようとする課題】
【０００３】ＩＣレコーダーのＯＫボタン等がむき出しだしに成っている為、ＯＫボタン等を知らぬ間に押している事。
【課題を解決するための手段】
【０００４】カバーをボタン部分に付け直接ボタンに触れなくする事です。
【考案の効果】
【０００５】ボタンの誤作動を無くす。
【図面の簡単な説明】
【０００６】
【図１】箱型に作ります。紙やプラスチックや合成樹脂等で作ります。そしてそれを装着すれば、ボタンの誤作動を防ぐことが出来ます。
【図２】材料は紙やプラスチックや合成樹脂等で作れますが、一番良いのは透明なプラスチックだと思います。しかし紙や合成樹脂等も含みます。そして厚さは約１ミリ程度にし押さえても変形しないように作ります。又本体から２〜３ミリの余裕をもたせる様に作ります。
【考案を実施するための形態】
【０００７】箱型カバーの長さはボタンを隠す程度にします。
【実施例】
【０００８】私が紙で作ったら誤作動が無くなりました。
【産業上の利用可能性】
【０００９】私が買ったＩＣレコーダーにも誤作動が有りました。それで自分で作りました。そうしたら誤作動が無くなりました。カバーを付けて誤作動が無くなると、ＩＣレコーダーの信頼性が向上しＩＣレコーダー業界にも良い効果が有ると思います。
【図１】
0003184359.tif 000003
【図２】
0003184359.tif 000004
【手続補正書】
【提出日】平成25年3月18日(2013.3.18)
【手続補正１】
【補正対象書類名】図面
【補正対象項目名】図１
【補正方法】変更
【補正の内容】
【図１】
0003184359.tif 000005
【手続補正２】
【補正対象書類名】実用新案登録請求の範囲
【補正対象項目名】全文
【補正方法】変更
【補正の内容】
【実用新案登録請求の範囲】
【請求項１】
ＩＣレコダーの箱型カバーであって、前記ＩＣレコダーのボタンを隠すことのできる長さを有することを特徴とする箱型カバー。
(57)【要約】      （修正有）【課題】鞄やバッグなどのＤカンとナスカンには、加重とともに摩擦が加わり磨耗するが、Ｄカンとナスカンの交換は作業負荷が大きくコストがかかるため、Ｄカンとナスカンの間に交換が容易な緩衝材を入れて、これを解決したＤカン、ナスカン保護用緩衝パーツを提供する。【解決手段】鞄やバッグなどのＤカン１とナスカン３の間に着脱可能な緩衝材２を入れ、Ｄカンとナスカンを磨耗や変形から保護し、緩衝材を容易に着脱可能とすることで、緩衝材を繰り返し交換して保護性能を維持する。緩衝材の素材にＤカンとナスカンの素材を磨耗しにくいものを使用することで、Ｄカンとナスカンに対磨耗性能を持たせることを必要としない。また、緩衝材を容易に交換できるようにすることで、補修時の負荷を大幅に低減する。【選択図】図１
0003184358.tif 000002
【実用新案登録請求の範囲】
【請求項１】
鞄やバッグなどのＤカン、ナスカンの磨耗、変形を抑止して耐用期間を高めるための、着脱を容易にして汎用性と利便性を持つ緩衝パーツ
【考案の詳細な説明】
【技術分野】
【０００１】  本考案は、鞄やバッグのＤカン、ナスカンを保護するための、緩衝パーツに関するものである。
【背景技術】
【０００２】  鞄やバッグのＤカン、ナスカンは、使用することにより磨耗、変形するが、これを避けるためにＤカン、ナスカンの耐久性を向上させようとすると、素材、加工コストの上昇を招いていた。
【考案の概要】
【考案が解決しようとする課題】
【０００３】  Ｄカン、ナスカンは、鞄やバッグを使用することにより磨耗、変形が避けられず、耐久性を向上させようとすると素材を高価なものにしたり、加工にコストをかけたりすることが必要である。しかし、素材や加工にコストをかけてＤカン、ナスカンの耐久性を増したとしても、耐用期間を延ばす効果しか得られず、根本的な解決にはならない。そこで、Ｄカンとナスカンの摩擦部分に交換可能な緩衝パーツをつけることにより、Ｄカン、ナスカンの磨耗や変形を低減（ほぼゼロ）しようとするものである。また、緩衝パーツを交換可能にすることで、修理コストの負担も低減しようとするものである。
【課題を解決するための手段】
【０００４】  本考案は、Ｄカンまたはナスカンに、それらの素材を磨耗させない素材で作った緩衝パーツを取り付け、かつ緩衝パーツを容易に交換できるようにすることによって、Ｄカン、ナスカンの磨耗、変形の耐用期間をコストをかけずに延長することを可能にしている。また、緩衝パーツの形状を工夫することで、既存のＤカン、ナスカンにも適用できる汎用性を持たせ、磨耗、変形の問題を解決することができる。
【考案の効果】
【０００５】  Ｄカン、ナスカンの磨耗、変形の耐用期間を高める工夫はこれまでもなされてきているが、Ｄカンまたはナスカンのどちらか、あるいは両方に直接対処するもので、耐用期間を高めることはできても、Ｄカンまたはナスカンのどちらかにダメージがあれば、一定の技術と時間をかけて（すなわちコストをかけて）交換修理をすることが必要であった。本考案では、Ｄカン、ナスカンの磨耗、変形の耐用期間を延長する緩衝パーツの交換を容易にする工夫をしているため、緩衝パーツの交換に技術と時間を要しない。さらに、緩衝パーツの形状を、既に市場に出回っている鞄やバッグのＤカン、ナスカンの形状に合わせて作れば、既存のＤカン、ナスカンの設計や製造手段に変更を加えることなく、本考案を汎用的に適用することができる。
【図面の簡単な説明】
【０００６】
【図１】Ｄカンに本考案の緩衝パーツを取り付けた図である。
【図２】ナスカンに本考案の緩衝パーツを取り付けた図である。
【考案を実施するための形態】
【０００７】  緩衝パーツの断面をＣ型の開放型とすることで、Ｄカン、ナスカンに押し当てて取り付け、反対方向に引くことで取り外しができる。また、Ｄカン、ナスカンの形状に沿った形状とすることで、緩衝パーツの回転を防ぎ、Ｄカンとナスカン間に緩衝パーツが常時当たるようにする。
【実施例】
【０００８】  以下、添付図面に沿って実施例を説明する。１が本考案の緩衝パーツである。緩衝パーツの素材は、Ｄカン、ナスカンが金属であれば、プラスチックや樹脂など、金属と摩擦して金属を磨耗させにくい素材とする。Ｄカン、ナスカンがプラスチックや樹脂などであれば、緩衝パーツの素材に金属などを使用する。２のようにＤカンまたはナスカンの形状に沿った形状とし、３のようにＤカンとナスカンが接しない方向を開放型とすることで、交換可能にする。【０００９】  緩衝材の素材には、Ｄカンとナスカンの素材を磨耗しにくく、加重に耐え、形状を維持する反発性を持つものを使用する。
【符号の説明】
【００１０】１  Ｄカン
２  Ｄカンに取り付けた緩衝材
３  ナスカン
４  ナスカンに取り付けた緩衝材
５  鞄
６  ショルダーなど
【図１】
0003184358.tif 000003
【図２】
0003184358.tif 000004
【手続補正書】
【提出日】平成25年1月23日(2013.1.23)
【手続補正１】
【補正対象書類名】実用新案登録請求の範囲
【補正対象項目名】全文
【補正方法】変更
【補正の内容】
【実用新案登録請求の範囲】
【請求項１】
鞄やバッグなどのショルダー紐を取り付けるためのＤカン又はナスカンのどちらかに取り付けるもので、容易に取り付け、取り外しができるような形状としているところを特徴とするＤカン、ナスカン保護用緩衝パーツ
【手続補正書】
【提出日】平成25年3月29日(2013.3.29)
【手続補正１】
【補正対象書類名】実用新案登録請求の範囲
【補正対象項目名】全文
【補正方法】変更
【補正の内容】
【実用新案登録請求の範囲】
【請求項１】
Ｄカン又はナスカンの形状に沿ってＤカン又はナスカンの一部を覆う形状を有し、Ｄカン又はナスカンの外側を覆う部分が切り欠かれたＣ型の断面形状を有することを特徴とするＤカン、ナスカン保護用緩衝パーツ。
(57)【要約】      （修正有）【課題】菓子箱などの空箱を、広告用としての効果も期待できる自動栞に利用できるようにした再利用菓子箱を提供する。【解決手段】菓子箱には、しおりの大きさに切り取りミシン線１１ａ，１１ｂが施されており、箱の表側のしおり上部に当たる部分には、キャラクターが描かれている。菓子箱使用後は当該切り取りミシン線に沿って切り取ることにより、キャラクター栞として再利用できる。【選択図】図１
0003184260.tif 000002
【実用新案登録請求の範囲】
【請求項１】
菓子箱に一部に、切り取りミシン線により栞部を形成した菓子箱であって、
前記栞部は、書籍に挟んで固定するための固定部と、読書中の頁間に挿入される栞部が、折り部を介して連接され、前記固定部にＵ字状の切込み部による切込み舌片を前記折り部の反対方向に向けて設けてなることを特徴とする栞部を付加した菓子箱。
【請求項２】
前記栞部には、表面側に、広告やキャラクターなどの文字、写真、図柄などが描かれていることを特徴とする請求項１記載の菓子箱。
【請求項３】
前記菓子箱の栞部に施された切り取りミシン線は、菓子箱開封用のミシン線を兼用することを特徴とする上記請求項１記載の菓子箱。
【考案の詳細な説明】
【技術分野】
【０００１】
本考案は、使い終わった菓子箱を、自動しおりに再利用できるようにした菓子箱に関
するものである。
【背景技術】
【０００２】
従来、ビスケットなどの菓子が入っている箱は、菓子を入れるだけのもので、菓子を食べてしまえば捨ててしまっていた。しかし多くの菓子箱は丈夫にできており、ただ捨ててしまうのはもったいなかった。
【０００３】
一方で、菓子箱には子供に人気のあるキャラクターや絵柄が描かれることが多い。
【０００４】
また、製品なので当然、製造メーカーのロゴやメーカーとしてアピールしたい内容も多く記載されている。
【０００５】
しかし、前述のように菓子箱は使用が終わると廃棄されることが多い。
【０００６】
そこで、特許文献１では、使い終わった菓子箱を葉書や名刺に再利用する提案がされている。しかし、葉書や名刺への再利用の場合、一度の利用で終了してしまう。また同じデザインで数多くに作成したい性質上、菓子箱からの切り出しは数量に限界がある。
【０００７】
また特許文献２は、ブックカバーからしおりを切り出す考案であるが、ブックカバーはそのまま長く使うことが多いので、しおりを切り出すために穴をあけてしまうのは躊躇することも多い。
【先行技術文献】
【特許文献】
【０００８】
【特許文献１】特開平８−２１７１６２号
【０００９】
【特許文献２】実開昭６４−４４１５９号
【考案の開示】
【考案が解決しようとする課題】
【００１０】
菓子箱を使用後の再利用として、箱に描かれたデザインを長く使える形で活用する。
【００１１】
本考案は、従来、使用が終わると廃棄されることが多い菓子箱を、絵柄やキャラクターを生かした形で本の栞として再利用するというものである。
【課題を解決するための手段】
【００１２】
本考案の請求項１の菓子箱は、箱外面に自動栞の形で切り取りミシン線が施されており、菓子箱として使用後、当該ミシン目に沿って切り取り、さらに栞内部のミシン目を切り取る。
その後、折線より内側に折ることにより自動栞として使用できることを特徴としている。
【００１３】
請求項２では、菓子箱に印刷された広告やキャラクターなどの文字、写真、図柄をそのまま栞の図柄として再利用し、常にページ間に栞部が表出する機能とマッチングさせたことで広告がより効果的に印象づけられ、広告機能を増大させることができるというものである。
【００１４】
また、請求項３は、栞部に施された切り取りミシン線が、菓子箱開封用の切り取りミシン線を兼用することにより、機能的な開けやすい菓子箱を実現するというものである。
【図面の簡単な説明】
【００１５】
【図１】本考案の一実施例である、栞のミシン目が施された菓子箱
【図２】本考案の一実施例である自動栞を示す斜視説明図。
【図３】本考案の一実施例である自動栞を折り畳んだ説明図。
【図４】本考案の一実施例である菓子箱の展開図。
【図５】本考案の他の実施例による菓子箱の展開図。
【考案を実施するための形態】
【００１６】
本考案の実施形態を図面に基づいて説明する。
【実施例】
【００１７】
図１の菓子箱には、箱の開封用の切り取りミシン目１１ａ、１１ｂと栞切り取り用ミシン目１４ａ、１４ｂ、１４ｃが施されている。
開封時、開封者は切り取りミシン目１１ａと１１ｂに囲まれた、押し込み部１２を押下することにより、ワンタッチで開封できる。
【００１８】
その後、箱としての利用が終了した場合には、栞切り取りミシン線１４ａ、１４ｂ、１４ｃを切り取り、舌片切り取りミシン線１５を切り取り、折り部４を山側に折ることにより、図２に示す自動栞となる。
【００１９】
図３は、この自動栞を本に装着した図である。
【００２０】
また本考案の菓子箱の展開図は図４のようになるが、他の形の展開図、例えば図５のような両側から開封する実施も可能である。
【符号の説明】
【００２１】
１・・・自動栞
２・・・固定部
３・・・栞部
４・・・折り部
５・・・切込み部
６・・・舌片
９・・・広告表示部
１１ａ・・・切り取りミシン線
１１ｂ・・・切り取りミシン線
１２・・・押し込み部
１３・・・栞部
１４ａ・・・栞切り取り上部ミシン線
１４ｂ・・・栞切り取り下部ミシン線
１４ｃ・・・栞切り取り側部ミシン線
１５・・・舌片切り取りミシン線
【図１】
0003184260.tif 000003
【図２】
0003184260.tif 000004
【図３】
0003184260.tif 000005
【図４】
0003184260.tif 000006
【図５】
0003184260.tif 000007
(57)【要約】      （修正有）【課題】アナログ式時差時計において、他地域の時刻を表示する為の別個の部品や複雑な機構を必要とすることなく、複数の都市の時刻を表示することが可能な時針式複数都市時間表示時計を提供する。【解決手段】時針２の形を自国と他の必要な都市との時差の角度が予めつけられた形にすることにより、時差を表示する特別な機構を必要とすること無く、容易に時差時計の機能を有することができる。これにより、既存の商品においても時計の時針を変更するだけで時差時計とすることができる為、低コストで商品ラインナップを増やすことができる。また、時針の他には通常の時計との変更点は無い為、時計の形や文字盤の装飾といったデザインの自由度に制限が少なく応用に優れる利点もある。【選択図】図１
0003184233.tif 000002
【実用新案登録請求の範囲】
【請求項１】
時針に自国と任意の他都市との時差の角度を予めつけた指針を備えることにより、時差時計の機能を有することを特徴とする時針式複数都市時間表示時計。
【考案の詳細な説明】
【技術分野】
【０００１】  本考案は、時差のある複数の都市時間を表示できる時計に関するものである。
【背景技術】
【０００２】  従来のアナログ式時差時計では、地名を記した円盤を文字盤上に配したものや、文字盤外周に取り付けた可動式リングを用いたもの、または他都市表示用の指針を回動する為の駆動機構を備えたもの、などがあげられる。
【先行技術文献】
【特許文献】
【０００３】
【特許文献１】実用新案登録第３０７７９４４号公報
【考案の概要】
【考案が解決しようとする課題】
【０００４】  従来のアナログ式時差時計では、他都市の時刻を表示するにあたって、上述のような円盤、可動式リング、駆動機構といった別個の部品や複雑な機構が必要である。【０００６】  このように従来の時差時計においては、他都市の時刻を表示する為には部品点数や複雑な機構を増やす必要があり、その為に製造コストが高くなるものであった。【０００７】  また、部品や機構が増えるということは、プロダクトデザインをするうえにおいても影響を与え、デザインの自由度を制限することにもつながるものである。【０００８】そこで本考案は、アナログ式時差時計において、他都市の時刻を表示する為の別個の部品や複雑な機構を必要とすることなく、複数の都市の時刻を表示することが可能なアナログ式時差時計を提供することを課題としている。
【課題を解決するための手段】
【０００９】本考案は、時針に自国と任意の他都市との時差の角度を予めつけた複数の指針を備えることにより、上述の課題を解決しようとするものである。
【考案の効果】
【００１０】本考案の時針式複数都市時間表示時計は、アナログ式時計であれば必ずある時針そのものを、他都市を示す指針を予め備えた形にしただけである為、他都市の時刻を表示するにあたって複雑な機構を別個に必要とすることなく、また部品点数も増えない為に、簡単で安価に製造が可能である。【００１１】時差時計の機能が無い時計においても、都市ごとの時差の角度が付いた指針を備える時針に載せ換えることにより時差時計の機能を持たせることが可能である為、容易に商品ラインナップを増やすことも、また個人所有の時計に置いても容易に時差時計に変更が可能である。【００１２】変更点は時針のみである為、時計のプロダクトデザインにおいて、形・文字盤の装飾といった部分でのデザインの自由度が高いものである。【００１３】時針があるアナログ式時計の全てに応用が可能であり、腕時計のみならず、置時計、懐中時計、柱時計等においても時差時計とすることができる。
【図面の簡単な説明】
【００１３】
【図１】本考案の複数都市時間表示の一例を示す平面図である。
【図２】本考案の時針の形の一例を示す平面図である。
【考案を実施するための形態】
【００１４】時針の形を他都市との時差を表した複数の指針を備えた形とすることにより、部品点数や機構を増やすことなく時差を表示することができ、安価で容易な方法で時差時計を製造することを可能とする。また時針の他には通常の時計との変更点は無い為、時計の形や文字盤の装飾といったデザインの自由度に制限が少なく応用に優れる。
【実施例】
【００１５】以下、添付図面に従って実施例を説明する。図１は本考案の複数都市時間表示の一例を示す平面図、図２は本考案の時針の形の一例を示す平面図である。【００１６】実施例の図１は、ＴＯＫＹＯ、ＰＡＲＩＳ、ＢＡＧＨＤＡＴ、ＮＥＷＹＯＲＫの４都市の時刻を示す指針を備える時針２で表示した腕時計の一例である。この例の腕時計１の場合、ＴＯＫＹＯが１０時とするとＰＡＲＩＳは２時、ＢＡＧＨＤＡＴは４時、ＮＥＷＹＯＲＫは２０時と読みとる事ができる。上述の４都市の時差の角度をつけた指針を備える時針２を取り付けることにより、上述の４都市の時刻を知ることのできる時差腕時計となる。【００１７】そして、既存の商品である腕時計の時針を、他都市の時刻を示す指針を備える時針２に変更するだけで時差時計とすることができる為、低コストで商品ラインナップを増やすことができ、また時計のデザイン性を損うことなくファッション性に優れる。
【符号の説明】
【００１８】１  腕時計
２  時針
３  分針
４  秒針
５  文字盤
【図１】
0003184233.tif 000003
【図２】
0003184233.tif 000004
(57)【要約】【課題】足の指間の股部が蒸れにくいフットカバー型の靴下を提供する。【解決手段】足裏部１、踵部２、内側部３、外側部４及び足先部５を有し、着用状態で足首から足の甲へかけて露出させるフットカバー型の靴下において、前記足先部５には、足の各指が貫通する指穴６〜１０を穿設することにより、指穴６〜１０間に帯状部分１１〜１４を形成し、足の人差し指、中指及び薬指に対応する指穴７〜９をコ字状のスロットのような切込として、これらの指穴７〜９の幅よりも帯状部分１１〜１４の幅が広くなるようにし、着用状態で帯状部分１１〜１４が足の指間の股部からその両側方の指の基部側面へかけて沿うようにする。【選択図】図１
0003184236.tif 000002
【実用新案登録請求の範囲】
【請求項１】
足裏部(1)、踵部(2)、内側部(3)、外側部(4)及び足先部(5)を有し、着用状態で足首から足の甲へかけて露出させるフットカバー型の靴下において、前記足先部(5)には、足の各指が貫通する指穴(6〜10)を穿設することにより、指穴(6〜10)間に帯状部分(11〜14)を形成し、足の人差し指、中指及び薬指に対応する指穴(7〜9)をコ字状のスロットのような切込として、これらの指穴(7〜9)の幅よりも帯状部分(11〜14)の幅が広くなるようにし、着用状態で帯状部分(11〜14)が足の指間の股部からその両側方の指の基部側面へかけて沿うようにしたことを特徴とする靴下。
【考案の詳細な説明】
【技術分野】
【０００１】
この考案は、フットカバー型の靴下に関するものである。
【背景技術】
【０００２】
パンプスやサンダル等の履物を履く際、素足に履いたような外見を維持しつつ、履物と足との直接的な接触を極力避けるため、フットカバー型の靴下を着用することがある。
【０００３】
この靴下は、足裏部、踵部、内側部、外側部及び足先部を有し、着用状態で足首から足の甲へかけて露出させるものであり、その足先部は、通常、足の親指から小指までの全ての指を先端まで一体的に覆うものとされている。
【考案の概要】
【考案が解決しようとする課題】
【０００４】
しかしながら、上記のような通常のフットカバー型の靴下では、足の指間の股部が汗で蒸れやすいという問題がある。
【０００５】
そこで、この考案は、足の指間の股部が蒸れにくいフットカバー型の靴下を提供することを課題とする。
【課題を解決するための手段】
【０００６】
上記のような課題を解決するため、この考案は、足裏部、踵部、内側部、外側部及び足先部を有し、着用状態で足首から足の甲へかけて露出させるフットカバー型の靴下において、前記足先部には、足の各指が貫通する指穴を穿設することにより、指穴間に帯状部分を形成し、足の人差し指、中指及び薬指に対応する指穴をコ字状のスロットのような切込として、これらの指穴の幅よりも帯状部分の幅が広くなるようにし、着用状態で帯状部分が足の指間の股部からその両側方の指の基部側面へかけて沿うようにしたのである。
【考案の効果】
【０００７】
この考案に係る靴下では、着用状態において、足の指間の股部からその両側方の指の基部側面へかけて沿う帯状部分により、多量の汗を吸収することができ、その汗を効率よく発散させることができるので、足の指間の股部の蒸れを防止できる。
【図面の簡単な説明】
【０００８】
【図１】この考案の実施形態に係る靴下の斜視図
【図２】同上の平面図（足甲側）
【図３】同上の立面図（足先部側）
【図４】同上の内側面図（親指側）
【図５】同上の着用状態を示す斜視図
【考案を実施するための形態】
【０００９】
以下、この考案の実施形態を添付図面に基づいて説明する。
【００１０】
図５に示すように、この靴下は、着用状態で足首から足の甲へかけて露出させるフットカバー型のものであり、図１乃至図４に示すように、足裏部１、踵部２、内側部３、外側部４及び足先部５を有する構成とされている。
【００１１】
足先部５には、足の親指から小指の各指がそれぞれ貫通する指穴６〜１０を穿設することにより、指穴６〜１０の間に帯状部分１１〜１４が形成されている。
【００１２】
足の人差し指、中指及び薬指に対応する指穴７〜９は、コ字状のスロットのような切込とされ、これらの指穴７〜９の幅よりも帯状部分１１〜１４の幅が広くなるように寸法が設定されている。
【００１３】
足裏部１の内面には、土踏まずに沿うクッション１５と、指の付け根部分の下方に沿うクッション１６とが設けられている。
【００１４】
上記のような靴下は、図５に示すように、履口から足を入れ、指穴６〜１０に足の親指から小指の各指を貫通させて着用すると、帯状部分１１〜１４が足の指間の股部からその両側方の指の基部側面へかけて沿う。
【００１５】
このような着用状態では、足の指間の股部からその両側方の指の基部側面へかけて沿う帯状部分１１〜１４により、多量の汗を吸収することができ、その汗を効率よく発散させることができるので、足の指間の股部の蒸れを防止できる。
【符号の説明】
【００１６】
１  足裏部
２  踵部
３  内側部
４  外側部
５  足先部
６〜１０  指穴
１１〜１４  帯状部分
１５，１６  クッション
【図１】
0003184236.tif 000003
【図２】
0003184236.tif 000004
【図３】
0003184236.tif 000005
【図４】
0003184236.tif 000006
【図５】
0003184236.tif 000007
(57)【要約】      （修正有）【課題】病院・ホテルのベットメイク時のシーツ交換を時間短縮できる袋状シーツを提供する。【解決手段】袋状に形成されており、シーツ内にマットレスを入れた状態で、シーツの上部と側部に折り返し部分を備える。ベットの天部分に袋状になったシーツの上部を差し込み下部を引っ張り三方をマットの下に入れ込む。一人でも簡単にシーツ交換が可能。【選択図】図１
0003184232.tif 000002
【実用新案登録請求の範囲】
【請求項１】
袋状に形成されて、シーツ内にマットレスを入れた状態で、シーツの上部と側部に折り返し部分を備えることを特徴とする袋状シーツ。
【考案の詳細な説明】
【技術分野】
【０００１】業務用洗濯におけるシーツの改良。
【背景技術】
【０００２】頻繁にシーツの交換と業務用洗濯を容易にできる。
【考案の概要】
【０００３】病院・ホテルのシーツ交換の作業のスピード化。
【考案が解決しようとする課題】
【０００４】ベットメイクの作業性と業務用洗濯効率を上げる。
【課題を解決するための手段】
【０００５】シーツ交換の作業性を楽にする手段として、ベットの天部分に袋状になったシーツの上部を差し込み下部を引っ張り三方をマットの下に入れ込む。
一人でも簡単に装着できる。
【図面の簡単な説明】
【０００６】
【図１】本考案の袋状シーツの実施例を示す正面図です。
【符号の説明】
【０００７】１、この部分にマットレスが入る
２、側面図
３、表面
４、裏面
５、押えミシン
６、三つ巻き
【図１】
0003184232.tif 000003
(57)【要約】      （修正有）【課題】傘の先端に取り付けることで、傘のすべりを防止する傘のすべり止めサックを提供する。【解決手段】ゴム製サック本体Ａの先端に大量の隆起Ｂを設置し、隆起部を表面にし、これを傘の先端に取り付けることで、傘と床面との摩擦を増やし、傘のすべり防止に役立つ。【選択図】図１
0003184242.tif 000002
【実用新案登録請求の範囲】
【請求項１】
傘の先端に取り付ける、ゴム製のサックの先端に大量の隆起を設けることで、床面との摩擦を増やし、傘のすべりを無くしたところを特徴とする、傘のすべり止めサック。
【考案の詳細な説明】
【技術分野】
【０００１】
ゴム製のサックの先端部分に、細かな隆起を大量に設置し、傘の先端部分に装着することで、傘が滑らなくなる様にしたものである。
【背景技術】
【０００２】
従来は、傘の先端に、滑り防止用サックは無かった。
【考案の概要】
【考案が解決しようとする課題】
【０００３】
傘の先端は、主にプラスチック製が多く、電車などで床との摩擦が少なく、滑ることが多かった。
【課題を解決するための手段】
【０００４】
ゴム製のサックの先端部分に細かな隆起を大量に設置し、傘の先端に取り付けることで、傘の床面との摩擦を増やすことで、滑らなくした。
【考案の効果】
【０００５】
傘を、電車などに持ち込む際、床との摩擦が増え、滑らなくなる。
【図面の簡単な説明】
【０００６】
【図１】本体正面図
【符号の説明】
【０００７】
（A）本体
（B）先端部分の細かな隆起
【図１】
0003184242.tif 000003